(57)【要約】  高度に局所化した癌細胞を治療するための、電離作用は強いが透過性が低い放射線の治療線源を精密に定置するプロセスであって、当該治療線源を本質的に腫瘍の塊だけ照射する形状にすることができるプロセス。線源が発生する放射線の強度と発生時間については、治療中の身体の外部に配置された電気制御式中性子発生装置のアレイが発生する中性子束を制御することによって活性化および非活性化することができる。中性子発生装置のアレイと身体との間に位置する中性子減速材により、線源の元素と相互作用する中性子のエネルギーを調整して、電離放射線を生成させる反応速度を最適化することができる。治療の合間に患者に余計な放射線を照射することなく腫瘍を根絶させるために、線源装置を体内に留置し必要に応じて再活性化することができる。治療完了後に、当該線源装置を取り出すことができる。【特許請求の範囲】
【請求項１】
動物（１２）の体内の局所化した癌細胞の治療方法であって、
所与の強さを下回る中性子照射場では実質的に非放射性であるが、所与の強さ以上の中性子照射場では電離作用は強いが透過性が低い放射線の線源となる治療線源（１０）を体内の癌細胞の近傍に定置するステップと、
所定の期間にわたり体外から当該治療線源（１０）に所与の強さ以上の中性子照射場を形成するステップとを含み、
当該照射場形成ステップを所定の間隔で繰り返すことを特徴とする方法。
【請求項２】
前記電離作用は強いが透過性が低い放射線の前記治療線源（１０）はＢ４ＣまたはＰ−３１により構成される、請求項１の局所化した癌細胞の治療方法。
【請求項３】
前記Ｂ４ＣはＢ−１０濃度が濃縮されている、請求項２の局所化した癌細胞の治療方法。
【請求項４】
前記電離作用は強いが透過性が低い放射線の前記治療線源（１０）は実質的に前記癌細胞だけを照射するように構成されている、請求項１の局所化した癌細胞の治療方法。
【請求項５】
中性子を実質的に透過させるが前記電離作用の強い放射線の少なくとも一部を遮蔽する放射線遮蔽材が、前記治療線源（１０）の前記癌細胞とは反対側の面に形成されている、請求項４の局所化した癌細胞の治療方法。
【請求項６】
前記定置ステップは、前記治療線源（１０）を外科的に前記癌細胞に近接するように埋め込むステップを含む、請求項１の局所化した癌細胞の治療方法。
【請求項７】
前記治療線源（１０）に中性子照射場を形成するステップは、電気式中性子発生装置（１４）により前記治療線源（１０）に中性子を照射するステップを含む、請求項１の局所化した癌細胞の治療方法。
【請求項８】
前記電気式中性子発生装置（１４）はＮｅｕｔｒｉｓｔｏｒである、請求項７の局所化した癌細胞の治療方法。
【請求項９】
前記電気式中性子発生装置（１４）は、中性子を前記治療線源（１０）にさまざまな角度で照射するために身体の周囲に配置された複数の電気式中性子発生装置により構成されている、請求項７の局所化した癌細胞の治療方法。
【請求項１０】
前記治療線源（１０）が発生する前記電離作用は強いが透過性が低い放射線を最適化するように中性子エネルギーを調節するために、前記電気式中性子発生装置（１４）と前記治療線源（１０）との間に中性子減速材（１６）を使用するステップを含む、請求項７の局所化した癌細胞の治療方法。
【請求項１１】
前記中性子減速材（１６）はＤ２ＯまたはＣを含む、請求項１０の局所化した癌細胞の治療方法。
【請求項１２】
前記中性子減速材（１６）を使用するステップは、前記中性子減速材（１６）を体外に配置するステップを含む、請求項１０の局所化した癌細胞の治療方法。
【請求項１３】
前記局所化した癌細胞の治療の合間も前記治療線源（１０）を体内に留置するステップを含む、請求項１の局所化した癌細胞の治療方法。
【請求項１４】
前記局所化した癌細胞の治療の完了後に前記治療線源（１０）を体内から取り出すステップを含む、請求項１３の局所化した癌細胞の治療方法。
【請求項１５】
前記治療線源（１０）はミクロン単位の厚さを有する１つ以上の非常に薄いディスクまたはプレートにより構成され、前記治療線源（１０）はさらに、当該１つ以上のディスクまたはプレートが当該癌細胞の周囲に定置されて中性子照射場に曝されると前記電離作用は強いが透過性が低い放射線が前記局所化した癌細胞の塊全体に影響を及ぼすのに十分な総合表面積を有することを特徴とする、請求項１の局所化した癌細胞の治療方法。
【請求項１６】
前記治療線源（１０）は、高エネルギーのアルファまたはベータ粒子を発生させるがガンマ線は発生させない（発生させても低エネルギーのガンマ線）物質により構成されている、請求項１の局所化した癌細胞の治療方法。
【請求項１７】
前記治療線源物質は水に溶解せず、身体に対して無毒で、半減期が短い、請求項１６の局所化した癌細胞の治療方法。
【請求項１８】
前記治療線源物質への中性子照射による生成物が放出するガンマ線の強度をガンマ線スペクトロメータ（１８）により監視するとともに、当該中性子照射時の荷電粒子の生成速度を監視できるようにするステップを含む、請求項１の局所化した癌細胞の治療方法。
【請求項１９】
前記監視されたガンマ線強度および前記中性子場の中性子線強度から身体が受けた放射線量を求める、請求項１８の局所化した癌細胞の治療方法。
【請求項２０】
前記監視されたガンマ線強度および前記放射線量に基づいて前記中性子場の強さを制御する、請求項１９の局所化した癌細胞の治療方法。
【発明の詳細な説明】
【技術分野】
【０００１】
関連出願の相互参照
従来式出願である本願は、２０１７年８月１５日出願の米国仮特許出願第６２／５４５，５２２号に基づく優先権を主張する。
【０００２】
本発明は概して癌治療に関し、具体的には高度に局所化した癌細胞の治療に関する。
【背景技術】
【０００３】
人体における腫瘍のような高度に局所化した癌細胞の電離放射線による治療は、かなり効果があることが証明されている。しかし、電離放射線を人体にあてると、通常は、意図した標的部位に到達する前に正常組織を通過するため、正常組織に損傷が生じる。そのため、一回の放射線照射により腫瘍が受ける損傷を減らそうとすると、複数回の治療が必要となり、潜在的に有害な生物学的影響が蓄積されるとともに、治療にかかる費用が増加することになる。正常細胞の損傷修復速度が腫瘍の成長速度および／または転移速度に追いつかず十分な治療ができない場合、患者は癌腫で死亡する可能性が高い。
【発明の概要】
【０００４】
本発明は、癌の放射線治療の有害な影響を克服する、動物の体内の局所化した癌細胞の治療方法を提供する。この方法は、所与の強さを下回る中性子照射場では実質的に非放射性であるが、所与の強さ以上の中性子照射場では電離作用は強いが透過性が低い放射線の線源となる治療線源を体内の癌細胞の近傍に定置するステップを含む。この定置ステップは、当該治療線源物質を当該癌細胞に密接するように外科的に埋め込むのが好ましい。当該治療線源には、所定の期間にわたり体外から所与の強さ以上の中性子照射場が形成され、この照射場形成ステップが所定の間隔で繰り返される。当該電離作用は強いが透過性が低い放射線の当該治療線源は、Ｂ４Ｃ、Ｐ−３１または他の物質を含む。当該物質は、高エネルギーのアルファまたはベータ粒子を発生させるがガンマ線は発生させない（発生させても低エネルギーのガンマ線）ものが好ましい。当該治療線源は、水に溶解せず、身体に対して無毒で、半減期が短いものである必要がある。Ｂ４Ｃを使用する場合、当該Ｂ４ＣのＢ−１０濃度が濃縮されていることが望ましい。
【０００５】
好ましい一実施態様において、当該治療線源は、当該電離作用は強いが透過性が低い放射線を実質的に当該癌細胞だけに照射するように構成されている。それを実現するために、当該治療線源の当該癌細胞とは反対側の面には放射線遮蔽材が形成されている。当該治療線源に中性子照射場を形成するステップは、Ｎｅｕｔｒｉｓｔｏｒのような電気式中性子発生装置により中性子を当該治療線源に照射するステップを含むのが好ましい。そのような一実施態様は、中性子を当該治療線源にさまざまな角度で照射するために身体の周囲に配置された複数の電気式中性子発生装置を使用する。
【０００６】
本願の方法の別の実施態様は、当該治療線源が発生する当該電離作用は強いが透過性が低い放射線を最適化するように中性子エネルギーを調節するための中性子減速材を当該電気式中性子発生装置と当該治療線源との間に使用するステップを含む。当該中性子減速材は、Ｄ２Ｏ、Ｃ、または同様の減速特性を有する他の物質でよい。当該中性子減速材は、当該電気式中性子発生装置と身体との間の体外に配置される。
【０００７】
そのような一実施態様において、当該治療線源は当該局所化した癌細胞の治療の合間も体内に留置され、治療完了後に体内から取り出される。当該治療線源はミクロン単位の厚さを有する１つ以上の非常に薄いディスクまたはプレートにより構成され、当該治療線源はさらに、当該１つ以上のディスクまたはプレートが当該癌細胞の周囲に定置されて中性子照射場に曝されると、当該電離作用は強いが透過性が低い放射線が当該局所化した癌細胞の塊全体に影響を及ぼすのに十分な総合表面積を有する。
【０００８】
本願の方法のさらに別の実施態様は、当該治療線源物質への中性子照射による生成物が放出するガンマ線の強度をガンマ線スペクトロメータにより監視するとともに、当該中性子照射時の荷電粒子の生成速度を監視できるようにするステップを含む。当該監視されたガンマ線強度および当該中性子場の中性子線強度を用いて、身体が受けた放射線量を求めることができる。本願の方法はまた、当該監視されたガンマ線強度および当該放射線量に基づいて当該中性子場の強さを制御することができる。
【図面の簡単な説明】
【０００９】
本発明の詳細を、好ましい実施態様を例にとり、添付の図面を参照して以下に説明する。
【００１０】
【図１】本発明の方法の実施に使用できる装置の概略図である。
【発明を実施するための形態】
【００１１】
高度に局所化した癌細胞を治療するための本発明によると、放出される放射線が当該局所化した癌細胞の塊全体に影響を及ぼすのに十分な表面積を有する、１つ以上の非常に薄い（例えばミクロン単位の厚さ）ディスクまたはプレート状の治療線源が、患者の体内に腫瘍に近接して、好ましくは腫瘍に隣接して埋め込まれる。本願で使用する「患者」という用語は、ヒトなどの動物を意味する。使用する治療線源物質は、高エネルギーのアルファまたはベータ粒子を発生させるがガンマ線は発生させない（発生させても低エネルギーのガンマ線）ものでなければならない。この物質は、水に溶解せず、無毒でなければならない。この物質の中性子反応生成物もまた、患者に対して無毒で、半減期が非常に短いものである必要がある。そのような性質を有する物質の一例は線源物質として使用するＢ４Ｃであり、短い半減期とはＢ４Ｃとほぼ同等かまたはより短い半減期、高エネルギーのアルファまたはベータ粒子とはエネルギー範囲がＢ４Ｃと同等以上のアルファまたはベータ粒子、また、ガンマ線は発生させない（発生させても低エネルギーのガンマ線）とはガンマ線を発生させない（発生させてもＢ４Ｃとほぼ同等の低エネルギーのガンマ線）ということである。この物質の好ましい実施態様は、Ｂ−１０濃度が濃縮されたＢ４Ｃを使用するものである。高濃度のＰ−３１を含有する化合物の使用は、別の許容できる選択肢である。照射用として挿入する治療線源物質は、多数の商業的に利用可能な作製技術により成形可能であり、線源物質の癌腫とは反対側の面を遮蔽材で覆うのが好ましい。当該遮蔽材は、中性子を実質的に透過させるが、癌腫の周りの正常組織を電離作用の強い粒子の少なくとも一部から遮蔽して保護する、例えばアルミニウムのような軽金属である。
【００１２】
線源物質を患者に埋め込んだ後、サンディア国立研究所が開発し、Ｇ．Ｊｅｎｎｉｎｇｓ、Ｃ．Ｓａｎｚｅｎｉ、Ｄ．Ｒ．Ｗｉｎｎ著の「Ｎｏｖｅｌ  Ｃｏｍｐａｃｔ  Ａｃｃｅｌｅｒａｔｏｒ  Ｂａｓｅｄ  Ｎｅｕｒｏｎ  ａｎｄ  Ｇａｍｍａ  Ｓｏｕｒｃｅｓ  ｆｏｒ  Ｆｕｔｕｒｅ  Ｄｅｔｅｃｔｏｒ  Ｃａｌｉｂｒａｔｉｏｎ」と題するＳｎｏｗｍａｓｓ  ２０１３白書（フェアフィールド大学、Ｆａｉｒｆｉｅｌｄ  ＣＴ０６８２４）に記述された、「Ｎｅｕｔｒｉｓｔｏｒ」と設計と構成が類似する小型の電気式高速中性子発生装置アレイにより、治療線源物質に中性子照射場を形成することができる。このアレイは、患者の身体の他の部分への中性子照射が過度にならないようにしながら中性子反応速度を最大にするに十分な中性子線強度を線源位置で得るに必要な構成にするのが理想的である。このアレイの理想的な幾何学的構成は、中性子がさまざまな角度で癌腫に入射して、アレイの各発生装置から最大数の十分に熱化された中性子が標的部位に到達するような構成である。これは、中性子源アレイの幾何学的構成とともに、中性子源アレイと照射を受ける標的との間に配置される中性子減速材としての材料の厚さを変えることによって達成する。最適な条件の確立に必要な計算は、当業者であれば、ロスアラモス国立研究所が提供するＭＣＮＰなど多種多様な市販の中性子輸送計算製品を用いて行うことができる。
【００１３】
図１は、本発明の或る特定の方法を実施するための装置を説明する概略図である。図１に示すように、治療線源１０は患者１２の体内に埋め込まれる。電気式中性子発生装置１４のアレイは、患者１２の体内の治療線源１０に中性子照射場を形成するように構成されている。図示のような幾何学的構成の中性子減速材１６は、各電気式中性子発生装置１４と標的である治療線源１０との間に配置される。中性子減速材１６は、十分な量のＤ２ＯまたはＣのような物質を含み、中性子と標的である治療線源物質との反応による荷電粒子の発生にとって最適なエネルギーを有する中性子の数を最大化する目的を達成するように別個に調整される。
【００１４】
ガンマ線スペクトロメータ１８は、中性子反応によって生成される標的同位体から放出されるガンマ線の強度を測定することにより、中性子照射時の荷電粒子の生成速度の監視を可能にする。これは、多数の市販の装置によって達成できる。
【００１５】
コンピュータ制御システム２０は、測定されたガンマ線強度および中性子発生装置の活性度から患者に照射された放射線量を求め、目標線量と比較する。制御システム２０は、ガンマ線強度と線量の測定値に基づいて、アレイ中の任意のまたはすべての中性子発生装置により提供される中性子線の強度を増減させる能力がある。
【００１６】
本願で説明する癌腫の治療方法およびシステムは、所望の領域に限られた量の放射線治療用堆積物を形成するために化合物を注射するのではなく、非放射性の標的を作製して腫瘍の中またはその周辺に埋め込む点で、他種の放射線治療法とは異なる。元々非放射性であった物質を病院環境内で中性子によって活性化させる本願のシステムは、荷電粒子による癌治療の恩恵を最大にするとともに、望ましくないコストおよび患者と介護者の放射線被曝を最小限に抑えることができる。この方法により、非常に正確かつ効率的に癌細胞を破壊できる。また、患者の全身放射線量を増加させずに、腫瘍が完全に死滅するまで標的線源を体内に留置することができる。比較的容易に複数回の照射を実施できる。例えばＮｅｕｔｒｉｓｔｏｒのような電気式中性子発生装置を使用すると、原子炉や非常に大きな中性子源の設置場所ではなく、病院の環境内で治療を行うことが可能になる。これにより、既存の放射線治療法に比べて治療費が大幅に抑えられる（または治療による収益性が大幅に向上する）。
【００１７】
本発明の特定の実施態様について詳しく説明してきたが、当業者は、本開示書全体の教示するところに照らして、これら詳述した実施態様に対する種々の変更および代替への展開が可能である。したがって、ここに開示した特定の実施態様は説明目的だけのものであり、本発明の範囲を何ら制約せず、本発明の範囲は添付の特許請求の範囲に記載の全範囲およびその全ての均等物を包含する。
【図１】
2020531059.tif 000002